(57)【要約】【課題】筐体内での中継基板や主制御基板の配置箇所及び外部通信用ケーブルの導入口の位置を各々適切に設定して、ケーブルの断線及びノイズの混入を防止し、かつケーブル配線の作業性を高める。【解決手段】筐体１内の底面部１ｃ上に、ホッパー装置４４をその上端とリール装置４１の下面との間に所定高さの空間を介在した状態で設置するとともに、ホッパー装置と筐体の左側側壁部１ｄとの間に電源装置４３を配置する。筐体の左側側壁部の内壁面に、左側に隣接する台間機と主制御基板４０と貸出操作部のコネクタとを相互にケーブルを介して接続するための中継基板４２を空間に対向して取り付ける。筐体の背面部における中継基板の取付位置近傍でかつ中継基板より低く電源装置より高い位置に、台間機と中継基板との間を接続するケーブル及びケーブルコネクタを導入するための導入口５０を設け、導入口の内側端を空間に連通する位置に設ける。【選択図】図３
2007021269.tif 000002
【特許請求の範囲】
【請求項１】
前面に開口部を有する筐体と、
この筐体の前面開口部に左縁をヒンジ側として開閉可能に取り付けられ、表面側の中央部に始動スイッチや停止スイッチなどの遊技操作部を有し、かつこの遊技操作部の上方部位にリール窓を有する前扉と、
上記筐体内の中央位置に複数の回転リールを横並びに保持した状態で取り付けられ、上記前扉が閉状態のときこの前扉のリール窓を通して各回転リールが外部から視認可能に設けられたリール装置と、
上記筐体内におけるリール装置の上方位置の背面部に取り付けられた横長矩形状の主制御基板とを備えており、上記筐体の左側に隣接して遊技媒体貸出機が配置されるスロットマシンにおいて、
上記前扉の表面側中央部には上記遊技操作部より左側部位に、上記遊技媒体貸出機に関連する貸出スイッチを含む貸出操作部が設けられているとともに、前扉の裏面側にはそのヒンジ側縁に近い部位にこの貸出操作部のコネクタが設けられており、
上記筐体内の底面部上には、ホッパー装置がその上端と上記リール装置の下面との間に所定高さの空間を介在した状態で設置されているとともに、このホッパー装置と筐体の左側側壁部との間に電源装置が配置され、この電源装置の高さは、ホッパー装置のそれよりも低く設定されており、
上記筐体の左側側壁部の内壁面には、上記遊技媒体貸出機と主制御基板と貸出操作部のコネクタとを相互にケーブルを介して接続するための中継基板が上記空間に対向して取り付けられ、この中継基板の高さ寸法は、上記空間の高さ寸法と略同一に設定されており、
上記筐体の背面部には上記中継基板の取付位置近傍でかつ中継基板より低く、かつ上記電源装置より高い位置に、上記遊技媒体貸出機と中継基板との間を接続するケーブル及びその先端のケーブルコネクタを導入するための長孔からなる導入口が設けられ、この導入口の内側端は、上記空間に連通する位置に設けられており、
上記主制御基板の左側端部には、上記中継基板と接続するためのコネクタが設けられていることを特徴とするスロットマシン。
【請求項２】
上記中継基板は、収納ケース内に収納され、複数のコネクタが収納ケースに設けた開口部を通してケーブルコネクタと接続可能に設けられている請求項１記載のスロットマシン。
【発明の詳細な説明】
【技術分野】
【０００１】
本発明は、遊技媒体貸出機からの貸出指示に基づいて遊技媒体の貸出処理を行う遊技機に関し、特に、筐体の前面開口部に遊技面を構成する前面体が開閉可能に取り付けられてなるいわゆる箱形遊技機、その代表例であるスロットマシンにおける遊技媒体貸出機との通信用ケーブルの配線構造に係わる。
【背景技術】
【０００２】
一般に、スロットマシンは、リール装置やホッパー装置などを収納する筐体の前面開口部に、リール窓や操作部などを有し遊技面を構成する前扉が開閉可能に取り付けられてなり、箱型遊技機の代表例である。そして、このスロットマシンとこれに隣接するメダル貸出機としての台間機とを通信可能に接続し、台間機からの貸出指示に基づいてスロットマシンでメダルの払い出しやクレジット度数の加算などの貸出処理を行うことがある。この場合、例えば特許文献１に開示されているように、スロットマシン側に中継基板を設け、この中継基板を介して台間機の制御基板とスロットマシンの主制御基板とを通信可能に接続している。中継基板にはこの両制御基板と接続するためのコネクタ以外に、スロットマシンの前扉に設けられた貸出スイッチ、返却スイッチ及び度数表示器などと接続するためのコネクタと、スロットマシンの電源装置と接続するためのコネクタとが設けられており、電源装置から供給される電源電圧は、中継基板を介して台間機側に一旦導入され、台間機側の変圧器で所定電圧に変換した後スロットマシンの度数表示器などに与えられる。
【０００３】
また、従来のパチンコ機は、矩形状に枠組みしてなる外枠に遊技面を構成する前面枠が開閉可能に取り付けられてなるのが一般的であるが、近年、例えば特許文献２に開示されているように、外枠の代わりに、スロットマシンの場合と同様に、前面に開口部を有する筐体を用い、この筐体の前面開口部に遊技面を構成する前面枠が開閉可能に取り付けられてなる箱型のものが提案されている。このパチンコ機において、隣接する球貸機としての台間機からの貸出指示に基づいて球の貸出処理を行う場合にも、上述したスロットマシンの場合と同様に、中継基板を介してパチンコ機と台間機とを通信可能に接続している。但し、パチンコ機の場合、球の払い出しは、主制御基板とは別の賞球払い出し制御基板で行っているため、この賞球払い出し制御基板が中継基板を介して台間機の制御基板と接続される。
【０００４】
そして、このような箱型遊技機に中継基板を設ける場合には、通常、上記例示の特許文献２に明示されているように、中継基板を箱型遊技機の遊技面を構成する前面体（つまりスロットマシンの前扉又はパチンコ機の前面枠）の裏面に取り付けるとともに、筐体の側壁部に導入口を設け、台間機と接続された外部通信用ケーブルをこの導入口を通して箱型遊技機の内部に導入して中継基板のコネクタに接続することが行われている。
【特許文献１】特開平１１−２２１３５３号公報
【特許文献２】特開２０００−１４０３４８号公報
【発明の開示】
【発明が解決しようとする課題】
【０００５】
ところが、上記従来のものでは、前面体を開閉する毎に前面体側の中継基板に接続された外部通信用ケーブルが筐体の導入口を通して遊技機の内部に取り込まれたり、外部に押し戻されたりするため、このケーブルが導入口付近で磨耗して断線する虞があった。これを防止するために、外部通信用ケーブルを遊技機内で弛ませた状態でその途中を筐体の側壁部に掛け止めすることが考えられるが、この場合、外部通信用ケーブルの長さがその分長くなり、ノイズが入り易くなるなどの不具合がある。
【０００６】
また、台間機では外部通信用ケーブルが背面側に設けたコネクタから延出されるのが一般的であり、かつ台間機の奥行きと箱型遊技機のそれとは同じ程度であることから、上述の如く箱型遊技機の筐体の側壁部に導入口を設けた場合には、通常密着して配置される箱型遊技機と台間機との間に外部通信用ケーブルが挟まれることになり、これを回避するために箱型遊技機の筐体の外面などにケーブル配線保護溝を形成することが必要になるなどの問題もある。
【０００７】
本発明はかかる点に鑑みてなされたものであり、その第１の課題とするところは、箱型遊技機、特にその代表例であるスロットマシンの内部に中継基板を配置するに当たり、その配置箇所を適切に設定して、ケーブルの断線及びノイズの混入を防止し得るスロットマシンを提供せんとするものである。
【０００８】
また、本発明の第２の課題は、中継基板の配置位置を考慮しながら、外部通信用ケーブルをスロットマシンの内部に導入する導入口の位置を適切に設定して、ケーブル配線の作業性を高め得るスロットマシンを提供せんとするものである。
【課題を解決するための手段】
【０００９】
上記第１及び第２の課題を解決するため、請求項１に係る発明は、スロットマシンとして、前面に開口部を有する筐体と、この筐体の前面開口部に左縁をヒンジ側として開閉可能に取り付けられ、表面側の中央部に始動スイッチや停止スイッチなどの遊技操作部を有し、かつこの遊技操作部の上方部位にリール窓を有する前扉と、上記筐体内の中央位置に複数の回転リールを横並びに保持した状態で取り付けられ、上記前扉が閉状態のときこの前扉のリール窓を通して各回転リールが外部から視認可能に設けられたリール装置と、上記筐体内におけるリール装置の上方位置の背面部に取り付けられた横長矩形状の主制御基板とを備え、上記筐体の左側に隣接して遊技媒体貸出機が配置されることを前提とする。そして、上記前扉の表面側中央部の上記遊技操作部より左側部位に、上記遊技媒体貸出機に関連する貸出スイッチを含む貸出操作部を設けるとともに、前扉の裏面側のヒンジ側縁に近い部位にこの貸出操作部のコネクタを設け、上記筐体内の底面部上に、ホッパー装置をその上端と上記リール装置の下面との間に所定高さの空間を介在した状態で設置するとともに、このホッパー装置と筐体の左側側壁部との間に電源装置を配置し、この電源装置の高さを、ホッパー装置のそれよりも低く設定する。また、上記筐体の左側側壁部の内壁面に、上記遊技媒体貸出機と主制御基板と貸出操作部のコネクタとを相互にケーブルを介して接続するための中継基板を上記空間に対向して取り付け、この中継基板の高さ寸法を、上記空間の高さ寸法と略同一に設定する。さらに、上記筐体の背面部における上記中継基板の取付位置近傍でかつ中継基板より低く、かつ上記電源装置より高い位置に、上記遊技媒体貸出機と中継基板との間を接続するケーブル及びその先端のケーブルコネクタを導入するための長孔からなる導入口を設け、この導入口の内側端を、上記空間に連通する位置に設け、上記主制御基板の左側端部に、上記中継基板と接続するためのコネクタを設ける構成にする。
【００１０】
この構成では、中継基板が筐体の左側側壁部の内壁面に取り付けられているとともに、この中継基板のコネクタに接続される外部通信用ケーブルは、中継基板の取付位置近傍に設けた筐体の導入口を通してスロットマシンの外部に延出され、台間機としてスロットマシンの左側方に隣接して設置される遊技媒体貸出機に接続されているため、従来の如く前扉の開閉時に外部通信用ケーブルが導入口付近で擦れて磨耗することはない。しかも、外部通信用ケーブルをスロットマシンの内部で弛ませて配線する必要はなく、その長さを短くすることができるので、その分ノイズの混入を防ぐことができる。
【００１１】
その上、筐体の背面部に取り付けた横長矩形状の主制御基板の左側端部に中継基板と接続するためのコネクタが設けられているため、中継基板と主制御基板とを接続するケーブルの長さが短くなり、外部通信用ケーブルを遊技機の内部に弛ませる必要がないことと相俟って、ケーブル同士の絡み合いを防ぐことができ、この点からもノイズの混入を防止することができる。
【００１２】
また、スロットマシンの外部通信用ケーブルは、筐体の背面部で中継基板の取付位置近傍つまり遊技媒体貸出機に隣接する筐体の左側側壁部に近接する部位に設けた導入口を通してスロットマシンの外部に延出され、遊技媒体貸出機の通常背面側に設けられるコネクタに接続されるようになっているため、このケーブル配線のためにスロットマシンの筐体外面に保護溝などを形成する必要はなく、配線作業を容易に行うことができる。
【００１３】
さらに、上記中継基板は、遊技媒体貸出機と隣接する左側の筐体側壁部の内壁面に取り付けられているため、スロットマシンの外部通信用ケーブルとしてその中継基板と遊技媒体貸出機とを接続するケーブルの長さが可及的に短くなり、ノイズの混入がより確実に防止される。
【００１４】
加えて、前扉の裏面側のヒンジ側縁に近い部位に貸出操作部のコネクタが設けられているため、この貸出操作部のコネクタと上記中継基板とを接続するケーブルの長さも可及的に短くなり、ケーブル同士の絡み合いひいてはノイズの混入がより一層確実に防止される。
【００１５】
請求項２に係る発明は、請求項１記載のスロットマシンにおいて、中継基板を、収納ケース内に収納し、かつ複数のコネクタが収納ケースに設けた開口部を通してケーブルコネクタと接続可能に設けられる構成にする。
【発明の効果】
【００１６】
以上のように、本発明のスロットマシンによれば、中継基板が筐体の左側側壁部の内壁面に取り付けられているとともに、この中継基板に接続される外部通信用ケーブルが、中継基板の取付位置近傍に設けた筐体の導入口を通してスロットマシンの外部に延出され遊技媒体貸出機に接続されているため、従来の如く前扉の開閉時に外部通信用ケーブルが導入口付近で擦れて磨耗するのを防止することができ、断線の防止化を図ることができる。しかも、外部通信用ケーブルをスロットマシンの内部で弛ませて配線する必要はなく、その長さを短くすることができるので、ノイズの混入を防ぐことができる。
【００１７】
その上、外部通信用ケーブル、中継基板と主制御基板とを接続するケーブル及び中継基板と貸出操作部のコネクタとを接続するケーブルの長さをいずれも可及的に短くすることができるので、ケーブル同士の絡み合いを防いでノイズの混入の防止化をより図ることができる。また、外部通信用ケーブルの配線のためにスロットマシンの筐体外面に保護溝などを形成する必要はないので、その分配線作業を容易に行うことができ、作業性の向上を図ることができるという効果をも奏する。
【発明を実施するための最良の形態】
【００１８】
以下、本発明の実施の形態を図面に基づいて説明する。
【００１９】
図１は本発明の一実施形態に係るスロットマシンＡ及びその左側に隣接するメダル貸出機としての台間機Ｂを示し、この両者Ａ，Ｂは、後述する第１ケーブル５１を介して通信可能に接続されている。
【００２０】
スロットマシンＡは、図２及び図３にも示すように、前面に開口部１ａを有する筐体１と、この筐体１の前面開口部１ａに左縁をヒンジ側として開閉可能に取り付けられた遊技面を構成する前面体としての前扉２とを備えている。
【００２１】
上記前扉２の表面側には、図１に示すように、上部位置に上部ランプ３及び左右一対のスピーカ４，４などが設けられているととともに、中央位置に図柄表示窓としてのリール窓１０、５つの有効化表示ランプ１１ａ，１１ｂ，１１ｃ，１１ｄ，１１ｅ、スタート待ちランプ１２、リプレイランプ１３、ゲーム終了ランプ１４、クレジットランプ１５、クレジット枚数表示器１６、役物当選回数表示器１７、ヒット枚数表示器１８、メダル投入口１９、始動スイッチ２０、３つの停止スイッチ２１ａ，２１ｂ，２１ｃ、ベットスイッチ２２、精算スイッチ２３の他に、メダルの貸出操作・表示部としての貸出スイッチ２５、返却スイッチ２６、カード残度数表示器２７及び貸出可ＬＥＤランプ２８が設けられている。また、前扉２の表面側の下部位置にはメダル払い出し口３０及びメダル受け皿３１が設けられている。
【００２２】
上記リール窓１０からは筐体１内の後述するリール装置４１の３つの回転リール４１ａ，４１ｂ，４１ｃが横並びで見えるようになっている。各回転リール４１ａ〜４１ｃの外周面にはそれぞれ複数の図柄（図示せず）が描かれていて、リール停止時には各回転リール４１ａ〜４１ｃ毎に３つの図柄がリール窓１０を通して見えるようになっている。
【００２３】
上記５つの有効化表示ランプ１１ａ〜１１ｅはメダル投入口１９に投入されたメダルの枚数に応じて点灯するものであり、投入メダルが１枚のときには中央の１つの有効化表示ランプ１１ｃのみが点灯しかつその表示ランプ１１ｃから横に延びる入賞ラインＬ１が有効化される。投入メダルが２枚のときには中央寄りの３つの有効化表示ランプ１１ｂ，１１ｃ，１１ｄが点灯しかつこれらの表示ランプ１１ｂ〜１１ｄから横に延びる３本の入賞ラインＬ１，Ｌ２，Ｌ３が有効化され、投入メダルが３枚のときには５つの有効化表示ランプ１１ａ〜１１ｅ全てが点灯しかつ横に延びる３本の入賞ラインＬ１〜Ｌ３と斜めに延びる２本の入賞ラインＬ４，Ｌ５とが有効化される。
【００２４】
上記始動スイッチ２０は３つの回転リール４１ａ〜４１ｃを一斉に又は順次に回転始動させるものであり、上記各停止スイッチ２１ａ〜２１ｃはそれぞれ対応する回転リール４１ａ〜４１ｃの回転を個別に停止させるものである。そして、上述の如くメダルの投入枚数に応じて有効化された入賞ラインＬ１〜Ｌ５上に所定の図柄の組み合わせが揃うとその組み合わせに応じた獲得枚数がヒット枚数表示器１８に表示され、その枚数のメダルがメダル払い出し口３０からメダル受け皿３１に払い出されるようになっている。
【００２５】
上記スタート待ちランプ１２は、メダル投入後始動スイッチ２０を操作するまでの間に点灯するものであり、リプレイランプ１３は、リール停止時に有効化された入賞ラインＬ１〜Ｌ５上にリプレイの図柄が揃ってメダルの投入無しで再度ゲームができる場合に点灯するものである。また、ゲーム終了ランプ１４はゲーム終了時に点灯するものであり、クレジットランプ１５はクレジットモードのときに点灯するものである。
【００２６】
また、スロットマシンＡは、複数枚のメダルを予めメダル投入口１９から投入して預けておき、この預けメダルを消費しつつゲームを行うことができるいわゆるクレジット形式のものであり、クレジット枚数表示器１６には預けメダルの枚数が表示される。そして、始動スイッチ２０の操作に先立ってベットスイッチ２２を１回押すと３枚のメダルが、２回押すと２枚のメダルが、３回押すと１枚のメダルがそれぞれ投入された場合と同様に入賞ラインＬ１〜Ｌ５が有効化される。精算スイッチ２３は、預けメダルを精算してメダル払い出し口３０からメダル受け皿３１に払い出すためのものである。
【００２７】
上記前扉２の裏面側には、図２に示すように、スピーカ４及び有効化表示ランプ１１ａ〜１１ｅなどの背面側が露見しているとともに、リール窓１０の下縁側位置に表示基板３３が、それより下側位置にセレクターユニット３４がそれぞれ取り付けられている。表示基板３３は、後述する主制御基板４０からの制御指示に基づいて前扉２の各種ランプ・表示器１１ａ〜１１ｅ，１２〜１８を制御するとともに、後述する中継基板４２を介して台間機Ｂとの間でメダル貸出のために貸出スイッチ２５及び返却スイッチ２６の操作信号並びにカード残度数表示器２７及び貸出可ＬＥＤランプ２８の制御信号を送受信するようになっており、中継基板４２と接続するための表示基板３３の貸出操作・表示部用コネクタ３３ａは、表示基板３３の右側端部つまり前扉２のヒンジ寄りの端部に設けられている。セレクターユニット３４は、メダル投入口１９から投入されたメダルを検査した後筐体１側の後述するホッパー装置４４へ回収するとともに、ホッパー装置４４から供給されるメダルをメダル払い出し口３０に導いて払い出しをするようになっている。
【００２８】
上記筐体１の内部には、図３に示すように、上側位置に主制御基板４０が、中央位置にリール装置４１及び中継基板４２が、下側位置に電源装置４３及びホッパー装置４４がそれぞれ配置されている。主制御基板４０は、筐体１の背面部１ｂに取り付けられており、この主制御基板４０の中継基板４２と接続するためのコネクタ４０ａは主制御基板４０の左側端部に設けられている。リール装置４１は、各々独立回転する横並びに３つの回転リール４１ａ，４１ｂ，４１ｃを有しており、これらの回転リール４１ａ〜４１ｃの外周面にはそれぞれ複数の図柄（図示せず）が施されている。電源装置４３は、筐体１の底面部１ｃ上に左側側壁部１ｄに当接した状態で固定されている。
【００２９】
また、上記中継基板４２は、筐体１における通信接続する台間機Ｂと隣接する側つまり左側の側壁部１ｄでかつ主制御基板４０の配置位置と電源装置４３の配置位置との間の部位に取り付けられている。この中継基板４２は、図４及び図５に示すように、台間機ＢとスロットマシンＡの主制御基板４０、電源装置４３及び表示基板３３の貸出操作・表示部用コネクタ３３ａとを接続するためのものであり、筐体１の背面部１ｂには中継基板４２の取付個所近傍である左側の側壁部１ｄに近接する部位に横方向に長い長孔からなる導入口５０が設けられ、この導入口５０を通して台間機ＢとスロットマシンＡの中継基板４２とを接続する外部通信用ケーブルとしての第１ケーブル５１がスロットマシンＡ内（詳しくは筐体１の内部）に導入されている。
【００３０】
上記中継基板４２は、図６ないし図８にも示すように、下ケース４６ａと上ケース４６ｂとからなる収納ケース４６内に基板本体４７が収納されてなり、基板本体４７には、上記第１ケーブル５１が接続される２５ピン形の第１コネクタ６１と、主制御基板４０と接続するための第２ケーブル５２が接続される１０ピン形の第２コネクタ６２と、電源装置４３と接続するための第３ケーブル５３が接続される３ピン形の第３コネクタ６３と、表示基板３３の貸出操作・表示部用コネクタ３３ａと接続するための第４ケーブル５４が接続される１６ピン形の第４コネクタ６４とが設けられている。上記各ケーブル５１〜５４は、収納ケース４６の上ケース４６の上面及び側面に形成した開口部４８（上面の開口部のみ図示）を通して収納ケース４６内の基板本体４７の各々対応するコネクタ６１〜６４に接続される。尚、図７及び図８中、６６及び６７は中継基板４２にそれぞれ設けられたヒューズ及びフォトカプラーである。
【００３１】
一方、台間機Ａは、図１に示すように、正面側に紙幣投入口７１及びカード挿入・排出口７２を有し、紙幣投入口７１から紙幣を投入するとカード挿入・排出口７２からプリペイドカードを発行し、またカード挿入・排出口７２に自ら又は他の発券機で発行されたプリペイドカードを挿入すると隣接するスロットマシンＡに対しメダルの貸出処理を行わせるようになっている。この台間機Ａの裏面側からは、図４に示すようにスロットマシンＡと通信可能に接続するための上記第１ケーブル５１と電源コード７４とが外部に延出されている。
【００３２】
次に、図５及び図８を参照しながら、上記中継基板４２を介して送受信される制御信号について説明する。
【００３３】
貸出要求信号（ＢＱ）は、メダルの貸し出しを指示する信号であって、台間機Ｂから中継基板４２を介してスロットマシンＡの主制御基板４０に対し送信されるものであり、主制御基板４０は、この貸出要求信号を受信するとメダルの貸出処理を行う。
【００３４】
貸出開始信号（ＢＹ）は、台間機Ｂがメダルの貸し出しを指示する状態にあることを示す信号であって、スロットマシンＡの貸出スイッチ２５が押されてから、上記貸出要求信号によるメダル貸出の指示が終了するまでの間、台間機Ｂから中継基板４２を介してスロットマシンＡの主制御基板４０に対し送信されるものである。
【００３５】
遊技機貸出完了信号（ＥＳ）は、メダルの貸出指示を受け取った旨の応答信号であって、台間機Ｂからの貸出要求信号を受け取ったときにスロットマシンＡの主制御基板４０から中継基板４２を介して台間機Ｂに対し送信されるものである。
【００３６】
遊技機貸出不可信号（ＰＹ）は、スロットマシンＡが上記貸出要求信号によるメダル貸出の指示を受け入れる状態にあるか否かを示す信号であって、遊技中などメダルの貸出処理が不可能なときにスロットマシンＡの主制御基板４０から中継基板４２を介して台間機Ｂに対し送信されるものである。
【００３７】
カードユニット接続確認信号（ＣＫ）は、スロットマシンＡと台間機Ｂとの接続状態を監視するための制御信号である。スロットマシンＡの電源装置４３から供給されるＡＣ２４Ｖ電圧は、中継基板４２を介して台間機Ｂ側に導入され、台間機Ｂ側の変圧器（図示せず）でＤＣ１８Ｖ電圧に変換される。このＤＣ１８Ｖ電圧は、台間機Ｂから中継基板４２を介してスロットマシンＡの表示基板３３に供給され、カード残度数表示器２７などの電源として利用される。カードユニット接続確認信号は、このＤＣ１８Ｖ電圧の通電状態からスロットマシンＡと台間機Ｂとの接続状態を監視し、フォトカプラー６７を通じて中継基板４２からスロットマシンＡの主制御基板４０に対し送信されるものである。
【００３８】
さらに、中継基板４２を介してスロットマシンＡの表示基板３３と台間機Ｂとの間では、貸出スイッチ２５の操作信号である貸出信号（ＴＳ）、返却スイッチ２６の操作信号である返却信号（ＲＳ）、台間機Ｂのカード挿入・排出口７２にカードが挿入されたときにスロットマシンＡの貸出可ＬＥＤランプ２８を点灯させる貸出可ランプ信号（ＴＯ）、及びスロットマシンＡのカード残度数表示器２７に上記カードの残度数を表示させるためのコモン信号（ＤＧ１〜ＤＧ３）と表示データ信号（ＳＥＧａ〜ＳＥＧｇ）が送受信される。
【００３９】
従って、上記スロットマシンＡにおいては、中継基板４２が筐体１の内壁面に取り付けられているとともに、この中継基板４２の第１コネクタ６１に接続される外部通信用ケーブルとしての第１ケーブル５１は、中継基板４２の取付位置近傍に設けた筐体１の導入口５０を通して外部に延出され左側に隣接する台間機Ｂに接続されているため、前扉２の開閉時に第１ケーブル５１が導入口５０付近で擦れて磨耗することはなく、断線を防止することができる。しかも、第１ケーブル５１をスロットマシンＡの内部で弛ませて配線する必要はなく、その長さを短くすることができるので、ノイズの混入を防ぐことができる。
【００４０】
特に、本実施形態の場合、中継基板４２を、通信接続する台間機Ｂと隣接する左側の筐体側壁部１ｄでかつ主制御基板４０の配置位置と電源装置４３の配置位置との間に位置する部位に取り付けたことにより、上記第１ケーブル５１の長さを可及的に短くすることができるとともに、中継基板４２と主制御基板４０とを接続する第２ケーブル５２及び中継基板４２と電源装置４３とを接続する第３ケーブル４３の長さを共に短くすることができるので、ケーブル同士の絡み合いを防ぐことができ、この点からもノイズの混入を確実に防止することができる。
【００４１】
また、上記主制御基板４０及び前扉２の裏面側の表示基板３３は、いずれも中継基板４２と接続するためのコネクタ４０ａ，３３ａが中継基板４２の取付個所である筐体１の左側の側壁部１ｄに近い端部に設けられているため、上記第２ケーブル５２の長さ及び表示基板３３と中継基板４２とを接続する第４ケーブル５４の長さを共に可及的に短くすることができ、ケーブル同士の絡み合いひいてはノイズの混入をより一層確実に防止することができる。
【００４２】
さらに、上記導入口５０は、筐体１の背面部１ｂでかつ通信接続する台間機Ｂに近接する部位に設けられ、この導入口５０を通して第１ケーブル５１がスロットマシンＡの外部に延出され、台間機Ｂの背面側に設けたコネクタと接続されるため、このケーブル配線のためにスロットマシンＡの筐体１の側壁部１ｄ外面に保護溝などを形成する必要はなく、配線作業を容易に行うことができる。
【００４３】
尚、本発明は上記実施形態に限定されるものではなく、その他種々の形態を包含するものである。例えば上記実施形態では、中継基板４２が単にコネクタを有し、台間機Ｂと遊技機Ａの制御基板４０、電源装置４３及び貸出操作・表示部２５〜２８との間の通信接続を行うだけのものについて述べたが、本発明は、中継基板として、コネクタ以外に、表示制御用の駆動回路ＩＣ又はサブＣＰＵを有してなるものを用いてもよい。
【００４４】
また、上記実施形態では、中継基板４２及び主制御基板４０がいずれも基板本体を収納ケース内に収納してなるものについて述べたが、本発明は、これらの基板が収納ケース内に収納されてない場合にも同様に適用することができるのは勿論である。
【００４５】
さらに、上記実施形態では、遊技機Ａの前扉２に設けられる貸出操作・表示部として、いずれも貸出スイッチ２５、返却スイッチ２６、カード残度数表示器２７及び貸出可ＬＥＤランプ２８を備える場合について述べたが、本発明は、これらを全て備える必要はなく、例えば貸出スイッチのみを備える場合などにも適用することができるのは言うまでもない。
【図面の簡単な説明】
【００４６】
【図１】本発明の実施形態に係るスロットマシン及び台間機の正面図である。
【図２】同スロットマシンの前扉の裏面側を示す背面図である。
【図３】スロットマシンの前扉を取り外した状態の正面図である。
【図４】スロットマシンと台間機との通信接続の状態を示す模式図である。
【図５】同じく通信接続の状態を示すブロック図である。
【図６】中継基板の斜視図である。
【図７】中継基板の基板本体の正面図である。
【図８】中継基板の回路図である。
【符号の説明】
【００４７】
Ａ    スロットマシン
Ｂ    台間機（遊技媒体貸出機）
１    筐体
１ａ  前面開口部
１ｂ  背面部
１ｃ  底面部
１ｄ  左側側壁部
２    前扉
１０    リール装置
２０    始動スイッチ（遊技操作部）
２１ａ，２１ｂ，２１ｃ    停止スイッチ（遊技操作部）
２５    貸出スイッチ（貸出操作部）
２６    返却スイッチ（貸出操作部）
３３    表示基板
３３ａ  貸出操作・表示部用コネクタ
４０    主制御基板
４０ａ  コネクタ
４１    リール装置
４１ａ，４１ｂ，４１ｃ    回転リール
４２    中継基板
４３    電源装置
４４    ホッパー装置
４６    収納ケース
４８    開口部
５０    導入口
５１    第１ケーブル（外部通信用ケーブル）
５２    第２ケーブル
５３    第３ケーブル
５４    第４ケーブル
６１    第１コネクタ
６２    第２コネクタ
６３    第３コネクタ
６４    第４コネクタ
【図１】
2007021269.tif 000003
【図２】
2007021269.tif 000004
【図３】
2007021269.tif 000005
【図４】
2007021269.tif 000006
【図５】
2007021269.tif 000007
【図６】
2007021269.tif 000008
【図７】
2007021269.tif 000009
【図８】
2007021269.tif 000010